(57)【特許請求の範囲】
【請求項１】
底を有した上階段部が形成される上側取っ手と、
底を有した下階段部が形成される下側取っ手と、
前記下側取っ手の後端から突出し、係止突起が形成された突部と、
前記突部に挿入されて、前記係止突起に係止する係止孔を有するキャップと、
前記キャップの外周面と前記底に沿って長さ方向にスライディング可能に組み立てられるロッカーと、を含む調理器具用ハンドル。
【請求項２】
前記キャップに対して前記ロッカーに弾性を加える弾性部材をさらに含み、
前記キャップは、内筒、該内筒より長さが短い外筒、該外筒と該内筒の間に前記弾性部材が収容される収容溝で構成され、
前記内筒には前記係止孔が形成され、
前記ロッカーは、円筒スライダーと、該円筒スライダーの内周面から突出して前記弾性部材の一側に接する可動シートで構成されている請求項１に記載の調理器具用ハンドル。
【発明の詳細な説明】
【技術分野】
【０００１】
本発明は、調理器具用ハンドルに関し、さらに詳しくは組み立てと動作が簡単であり、スプリングの弾性でスライド面に沿って往復移動される円筒形ボタンにより上側取っ手と下側取っ手が自然に接近（上下容器を互いにぎゅっと閉める）または退去（上下容器を互いに広げる）できる調理器具用ハンドルに関する。
【背景技術】
【０００２】
このような類型の従来の調理器具用ハンドルとして、特許文献１（韓国登録特許第１０−０５５４１００号公報）に開示されたものが提案されている。
【０００３】
図１〜図３ｂに示したように、従来の調理器具用ハンドル１００は、ヒンジｈを中心に折り重ね可能に結合された一側容器Ａ及び他側容器Ｂの側面にそれぞれ備えられた一側取っ手１０及び他側取っ手２０を含む。
【０００４】
一側取っ手１０は、一側容器Ａから遠い方の他端に、他側取っ手２０に当接する内面１１から外面１２に行くほど長くなる傾斜したスライド面１４を備えるとともに、このスライド面１４の厚さを薄くしてその外面１２に段差１３を提供する。
【０００５】
他側取っ手２０は、一側取っ手１０に当接する内面２１が、スライド面１４の始まる部分から離隔距離lを置いて長さ方向にさらに延長されるとともに、離隔距離l分外面２２に溝２３が形成されるようにスライド面１４に対向するストッパ２４を備える。
【０００６】
他側取っ手２０の内面２１にねじＮにて固定され、溝２３から段差１３に至る長さを基準直径として円周形溝３０を完成する半円体３１と、溝２３ 及び段差１３を含めた円周形溝３０に挟まれてスライド面１４にスライディングされながら長さ方向に往復移動される円筒形ボタン４０を含む。
【０００７】
ストッパ２４に支持されて弾発される圧出スプリング５１と、円筒形ボタン４０に穿たれて圧出スプリング５１を収容する収容溝４１をさらに含む。
【０００８】
しかしながら従来の調理器具用ハンドルによれば、以下のような問題がある。
【０００９】
一つの問題は、円周形溝３０を完成するために半円体３１の構成を別途の締結要素で固定しなければならない煩わしさがある点である。
【００１０】
また、他の問題は、圧出スプリング５１の一部が外部に露出しているため、美観上良くなく、または異物浸透時にスプリングの弾性がまともに作動しなくなる点である。
【先行技術文献】
【特許文献】
【００１１】
【特許文献１】韓国登録特許第１０-０５５４１００号公報
【発明の概要】
【発明が解決しようとする課題】
【００１２】
本発明は、上記の問題を解決するために案出されたものであって、組み立てが便利であり、作動が円滑に行われる調理器具用ハンドルを提供することにその目的がある。
【課題を解決するための手段】
【００１３】
上記の目的を果たすために、本発明の請求項１に記載した調理器具用ハンドルは、底を有した上階段部が形成される上側取っ手と、底を有した下階段部が形成される下側取っ手と、前記下側取っ手の後端から突出し、係止突起が形成された突部と、前記突部に挿入されて、前記係止突起に係止する係止孔を有するキャップと、前記キャップの外周面と前記底に沿って長さ方向にスライディング可能に組み立てられるロッカーと、を含むものである。
【００１４】
また、本発明の請求項２に記載した調理器具用ハンドルは、前記キャップに対して前記ロッカーに弾性を加える弾性部材をさらに含み、前記キャップは、内筒、該内筒より長さが短い外筒、該外筒と該内筒の間に前記弾性部材が収容される収容溝で構成され、前記内筒には前記係止孔が形成され、前記ロッカーは、円筒スライダーと、該円筒スライダーの内周面から突出して前記弾性部材の一側に接する可動シートで構成されているものである。
【発明の効果】
【００１５】
本発明によれば、以下のような効果が奏される。
【００１６】
まず、下側取っ手で突部を一体にして、別途の円周形溝を形成するための別途の部品を省き、ロッカーのスライディングガイドとストッパの役目をするキャップを突部に簡単に挿入さえすれば結合されて組み立てが非常に便利になる。
【００１７】
また、円筒スライダー内部に弾性部材が置かれていて外部に露出されないため、異物などの浸透を完壁に防いでロッカーのスライディングを確実に行うことができる。
【図面の簡単な説明】
【００１８】
【図１】従来技術が適用された調理器具を示す斜視図である。
【図２】図１の調理器具用ハンドルを示す分解斜視図である。
【図３ａ】図１の調理器具用ハンドルの動作状態を示す断面図である。
【図３ｂ】図１の調理器具用ハンドルの動作状態を示す断面図である。
【図４】本発明の望ましい実施の形態による調理器具用ハンドルを分離した前面斜視図である。
【図５】本発明の望ましい実施の形態による調理器具用ハンドルを分離した背面斜視図である。
【図６ａ】図４の結合断面図であって、接近断面図である。
【図６ｂ】図４の結合断面図であって、解除断面図である。
【発明を実施するための形態】
【００１９】
以下、本発明の望ましい実施の形態を添付図面に基づいて説明するが、従来と同一なものに対しては同一参照符号を付けて詳細な説明は省略する。
【００２０】
また、本発明における上側と下側という位置は、図面での位置を説明するだけであり、上側と下側の位置がひっくり返るときは反対の位置になることを含むものと定義する。
【００２１】
図４及び図５は、本発明の望ましい実施の形態による調理器具用ハンドルを分離した前面及び背面斜視図であり、図６ａ及び図６ｂは、図４の結合断面図であって、接近及び解除断面図である。
【００２２】
図４及び図５に示したように、本実施の形態による調理器具用ハンドル３００は対向する上側取っ手３１０と下側取っ手３３０、上側取っ手３１０と下側取っ手３３０を接近または退去させる接近退去部材３５０を含む。
【００２３】
上側取っ手３１０は、下面が平面の断面半円形状であることが望ましい。
【００２４】
また、上側取っ手３１０の後端の半円周面には、壁３１３と底３１５にて段を成す上階段部３１１が形成されている。
【００２５】
また、底３１５は、上から下(すなわち、上傾斜面の最下位置)に下がるほど幅が細くなる形状となっている。
【００２６】
また、上側取っ手３１０の後端面には、上から下に（−）勾配で傾斜した上傾斜面３１７が形成されている。
【００２７】
下側取っ手３３０は、上側取っ手３１０と同様に上面が平面の断面半円形状であることが望ましい。
【００２８】
また、下側取っ手３３０には、上傾斜面３１７と対向する下傾斜面３３７が形成されている。
【００２９】
下側取っ手３３０の後端の半円周面には、壁３３３と底３３５にて段を成す下階段部３３１が形成されている。
【００３０】
また、底３３５は、下から上（すなわち、下傾斜面の最上位置）に上がるほど幅が細くなる形状となっている。
【００３１】
したがって、上側取っ手３１０と下側取っ手３３０が互いに近づいた際に、図６ａで示すように上階段部３１１と下階段部３３１は幅が同一な一つの円周底３１５、３３５を形成する。
【００３２】
また、底３３５の端から長さ方向に突出した突部３３９が形成されている。
【００３３】
突部３３９には、弾性部材３５１を搭載したキャップ３５３が嵌められて固定される。
【００３４】
キャップ３５３は内筒３５５と外筒３５７からなり、内筒３５５と外筒３５７の間に弾性部材３５１が収容される収容溝３５９が形成されている。弾性部材３５１としては、コイルスプリングが適用されることが望ましい。
【００３５】
したがって、弾性部材３５１は、キャップ３５３に対抗して後述のロッカー３７０に弾性を加えて、ロッカー３７０に外力がない場合、ロッキングされる位置（上下取っ手が互いに近づいた状態を維持させる状態）に向けるように力を加える。
【００３６】
内筒３５５の上下には係止孔３６１がそれぞれ形成されることが望ましく、突部３３９には係止孔３６１に係止する係止突起３６３が形成され、キャップ３５３が突部３３９から離脱することを防止する。
【００３７】
また、キャップ３５３の内筒３５５の前後には、切り取った切欠３６５が形成されることが望ましい。
【００３８】
切欠３６５は、内筒３５５が突部３３９に挿入される際に、若干の弾性によって広げられるようにし、係止突起３６３が係止孔３６１に係止する場合、また元の状態に復元されて離脱をより確実に防止することができる。
【００３９】
最後端から測れば、外筒３５７は内筒３５５より長さＬ分だけ短く形成されている。
【００４０】
この短い距離は、後述のロッカー３７０の解除スライディング距離とほぼ類似している。
【００４１】
また、外筒３５７にも切欠３６７が形成されており、ロッカー３７０の円筒スライダー３７１がスライディングして接触する際に、ある程度外筒３５７が弾性変形するのを許容し、円滑なスライディングを提供する。
【００４２】
ロッカー３７０は、円筒スライダー３７１と、円筒スライダー３７１の内周面から突出した可動シート３７３で構成される。
【００４３】
すなわち、可動シート３７３は、弾性部材３５１の一側に接触している。
【００４４】
また、可動シート３７３は内筒３５５に係止せず、外筒３５７に係止する程度に突出されている。
【００４５】
円筒スライダー３７１の内周面は、外筒３５７の外周面と底３１５、３３５に対してスライディング可能に組み立てられる。
【００４６】
可動シート３７３は、収容溝３５９の底を成す固定シートとともに弾性部材３５１の前後が位置付けられる面を形成する。
【００４７】
したがって、図６ａで示すように、ロッカー３７０の円筒スライダー３７１が階段部３１１、３３１の壁３１３、３３３にかかっていれば、上側取っ手３１０と下側取っ手３３０は互いに近づいた状態で結合される。
【００４８】
この図６ａの状態で図６ｂで示すように円筒スライダー３７１を実線方向に後ろへ引けば、階段部３１１、３３１から外れ、上側取っ手３１０が弾性によって上方へ上って接近を解除する。
【００４９】
この解除された状態で円筒スライダー３７１を離せば、図６ａで示すように円筒スライダー３７１が壁３３３にかかって止められる。
【００５０】
したがって、接近退去部材３５０は、突部３３９に挿入固定されたキャップ３５３とキャップ３５３の外周面に沿ってスライディングするロッカー３７０、キャップ３５３とロッカー３７０の間に介在されてロッカー３７０の復元を行う弾性部材３５１で大きく構成されている。
【００５１】
また、ロッカー３７０はキャップ３５３の外筒３５７の先端と壁３１３または３３３間の距離に長さ方向のスライディング距離が制限される。
【００５２】
上述のように、本発明の望ましい実施の形態を参照して説明したが、特許請求の範囲に記載した本発明の思想及び領域から逸脱しない範囲内で本発明を多様に変更または変形して実施することができることは該当技術分野における当業者であれば自明である。
【符号の説明】
【００５３】
３００：調理器具用ハンドル
３１０：上側取っ手
３１１：上階段部                 
３１３：壁
３１５：底                               
３１７：上傾斜面
３３０：下側取っ手                         
３３１：下階段部
３３３：壁                               
３３５：底
３３７：下傾斜面                 
３３９：突部
３５０：接近退去部材               
３５１：弾性部材
３５３：キャップ                 
３５５：内筒
３５７：外筒                     
３５９：収容溝
３６１：係止孔                   
３６３：係止突起
３６５,３６７：切欠               
３７０：ロッカー
３７１：円筒スライダー           
３７３：可動シート
【図１】
0005774234.tif 000002
【図２】
0005774234.tif 000003
【図３ａ】
0005774234.tif 000004
【図３ｂ】
0005774234.tif 000005
【図４】
0005774234.tif 000006
【図５】
0005774234.tif 000007
【図６ａ】
0005774234.tif 000008
【図６ｂ】
0005774234.tif 000009